(57)【要約】【課題】設置時の貯湯タンク及び配管の水張りと循環ポンプへの呼び水、並びにエアー抜きの作業が効率よく行えるようにすること。【解決手段】タンクユニット１２の貯湯タンク２２内の水を貯湯用循環ポンプ２７を有する配管を介してヒートポンプユニット１１に循環して温水となし、浴槽４０等に給湯するようにしたヒートポンプ給湯装置１０において、貯湯タンク２２に接続された配管の水張りと貯湯用循環ポンプ２７への呼び水、並びにエアー抜きを自動的に行うための配管構成及びタンク側制御装置３６を備えている。【選択図】図１
2011012817.tif 000002
【特許請求の範囲】
【請求項１】
タンクユニットの貯湯タンク内の水を循環ポンプを有する配管を介してヒートポンプユニットに循環して温水となし、浴槽等に給湯するようにしたヒートポンプ給湯装置において、貯湯タンクに接続された配管の水張りと循環ポンプへの呼び水、並びにエアー抜きを自動的に行うための配管構成及び制御手段を備えたことを特徴とするヒートポンプ給湯装置。
【請求項２】
タンクユニットの貯湯タンク内の水を循環ポンプを有する配管を介してヒートポンプユニットに循環して温水となし、浴槽等に給湯するようにしたヒートポンプ給湯装置において、貯湯タンクに接続された配管の水張りと循環ポンプへ呼び水、並びにエアー抜きと浴槽のお湯張りのための水位設定を自動的に行うための配管構成及び制御手段を備えたことを特徴とするヒートポンプ給湯装置。
【請求項３】
請求項１又は請求項２の配管構成には、水流路を通常状態と水張り状態とに切り換える切り換え手段を備えることを特徴とするヒートポンプ装置。
【請求項４】
請求項１又は請求項２の制御手段は、前記タンクユニット又は運転操作用のリモートコントローラに設けられた試運転スイッチにより作動することを特徴とするヒートポンプ装置。
【発明の詳細な説明】
【技術分野】
【０００１】
タンクユニットの貯湯タンク内の水を循環ポンプを有する配管を介してヒートポンプユニットに循環して温水となし、浴槽等に給湯するようにしたヒートポンプ給湯装置に関する。
【背景技術】
【０００２】
この種のヒートポンプ給湯装置は、例えば、特許文献1などで知られているように、貯湯タンクには給水配管、給湯配管、貯湯タンクの水をヒートポンプユニットに循環する加熱用の配管、貯湯タンクの温水と浴槽の水を熱交換する追焚き用の配管などが接続されている。
【先行技術文献】
【特許文献】
【０００３】
【特許文献１】特開２００８−６４３９１号公報
【発明の概要】
【発明が解決しようとする課題】
【０００４】
上述したヒートポンプ給湯装置では、設置時に施工業者が貯湯タンク及び配管の水張りと、循環ポンプへの呼び水、並びにエアー抜きを順次手作業で行っていたため、作業に手間がかかるばかりでなく、待機時間を含めた作業時間が長時間となり、設置作業が非効率となる欠点があった。特に、マンション等の集合住宅では一台ごとに順次設置作業を行わなければならず、大変手間のかかる作業となっていた。
【０００５】
そこで本発明は、設置時の貯湯タンク及び配管の水張りと、循環ポンプへの呼び水、並びにエアー抜きの作業が効率よく行えるようにすることを目的とする。
【課題を解決するための手段】
【０００６】
第１発明は、タンクユニットの貯湯タンク内の水を循環ポンプを有する配管を介してヒートポンプユニットに循環して温水となし、浴槽等に給湯するようにしたヒートポンプ給湯装置において、貯湯タンクに接続された配管の水張りと循環ポンプへの呼び水、並びにエアー抜きを自動的に行うための配管構成及び制御手段を備えたことを特徴とする。  
【０００７】
また第２の発明では、タンクユニットの貯湯タンク内の水を循環ポンプを有する配管を介してヒートポンプユニットに循環して温水となし、浴槽等に給湯するようにしたヒートポンプ給湯装置において、貯湯タンクに接続された配管の水張りと循環ポンプへ呼び水、並びにエアー抜きと浴槽のお湯張りのための水位設定を自動的に行うための配管構成及び制御手段を備えたことを特徴とする。
【０００８】
第３の発明は、第１又は第２の発明における前記配管構成には、水流路を通常状態と水張り状態とに切り換える切り換え手段を備えることを特徴とする。
【０００９】
第４の発明は、第１又は第２の発明における前記制御手段は、前記タンクユニット又は運転操作用のリモートコントローラに設けられた試運転スイッチにより作動することを特徴とする。
【発明の効果】
【００１０】
本発明のヒートポンプ給湯装置では、前記タンクユニット又は運転操作用のリモートコントローラに設けられた試運転スイッチにより制御手段を作動させ、貯湯タンクに接続された配管の水流路を通常状態から水張り状態に切り換えるようにして、貯湯タンクに接続された配管の水張りと、循環ポンプへの呼び水、並びにエアー抜きを自動的に行うことができるため、設置作業における待機時間を少なくできるとともに、煩わしい切り換え操作を省略して設置作業を効率良く行うことができ、特に多数のヒートポンプ給湯装置を設置するマンション等の集合住宅では次々と設置作業を行うことができ、設置作業が大幅に短縮され、有効である。
【００１１】
また、浴槽のお湯張りのための水位設定を試運転時の自動運転に含めるようにすることにより、設置作業の一層の効率化が図れる。
【図面の簡単な説明】
【００１２】
【図１】本発明の第１の実施形態の説明に適用されるヒートポンプ給湯装置の概略構成図である。
【図２】本発明の第１の実施形態の説明に適用されるヒートポンプ給湯装置の試運転時の動作例を示すフローチャートである。
【図３】本発明の第１の実施形態の説明に適用されるヒートポンプ給湯装置の試運転時の第1段階を示す説明図である。
【図４】本発明の第１の実施形態の説明に適用されるヒートポンプ給湯装置の試運転時の第２段階を示す説明図である。
【図５】本発明の第１の実施形態の説明に適用されるヒートポンプ給湯装置の試運転時の第３段階を示す説明図である。
【図６】本発明の第１の実施形態の説明に適用されるヒートポンプ給湯装置の試運転時の第４段階を示す説明図である。
【図７】本発明の第２の実施の形態の説明に適用されるヒートポンプ給湯装置の試運転時の第１段階を示す説明図である。
【図８】本発明の第２の実施形態の説明に適用されるヒートポンプ給湯装置の試運転時の第２段階を示す説明図である。
【図９】本発明の第3の実施形態の説明に適用されるヒートポンプ給湯装置の概略構成図である。
【発明を実施するための形態】
【００１３】
以下、図１乃至図６に基づき、本発明の実施形態について説明する。まず、全体構成の概略構成図である図１において、ヒートポンプ給湯装置１０はヒートポンプユニット１１と、このヒートポンプユニット１１に配管接続される貯湯タンクユニット１２とで構成され、これらヒートポンプユニット１１及び貯湯タンクユニット１２は、通常屋外に設置される。
【００１４】
前記ヒートポンプユニット１１は、ユニット本体１１Ａ内に、ロータリー２段圧縮機などの能力可変の圧縮機１３、加熱装置としての水冷媒熱交換器１４、電動膨張弁などの減圧装置１５、空気熱交換器である蒸発器１６、該蒸発器１６に通風して空気と熱交換させる熱交換用送風機１９、アキュームレータ１７及びプリント基板Ｐ１上に配設されるマイクロコンピュータ等から構成されるヒートポンプ側制御装置１８が収容されている。
【００１５】
そして、前記圧縮機１３、水冷媒熱交換器１４を構成する放熱器１４Ａ、減圧装置１５、蒸発器１６及びアキュームレータ１７は、冷媒配管２０にて環状に接続されており、二酸化炭素を冷媒として圧縮機１３で超臨界圧に圧縮するヒートポンプサイクル（冷媒回路）Ｘを構成している。また、前記水冷媒熱交換器１４は前記放熱器１４Ａと受熱器１４Ｂとで構成される。
【００１６】
前記貯湯タンクユニット１２は、ユニット本体１２Ａ内に、貯湯タンク２２、この貯湯タンク２２の下部に接続される給水配管２３、減圧弁（開閉機能なし）２４、分岐給水配管２５、貯湯用配管２６、貯湯用循環ポンプ２７、追焚き用配管２８、水々熱交換器である追焚き用熱交換器２９、風呂水用配管３０、風呂水用循環ポンプ３１、追焚き用循環ポンプ３２、給湯用配管３３、給湯混合弁３４Ａ、注湯混合弁３４Ｂ、注湯開閉弁３５、マイクロコンピュータ等から構成されるタンク側制御装置３６等を収容している。３７は圧力逃し弁で、給湯用配管３３に接続されている。３８Ａ及び３８Ｂはそれぞれ給湯流量カウンター及び注湯流量カウンターである。
【００１７】
また、前記貯湯用配管２６の一端２６Ａは前記貯湯タンク２２の底部に接続され、前記貯湯用配管２６の他端２６Ｂは前記貯湯タンク２２の頂部に接続されている。また、前記追焚き用配管２８の出口部２８Ａ及び前記給湯用配管３３は、それぞれ前記貯湯タンク２２の頂部に接続され、前記追焚き用配管２８の入口部２８Ｂは前記貯湯タンク２２の中間部に接続されている。
【００１８】
前記水冷媒熱交換器１４と前記貯湯タンク２２との間で貯湯水を循環させることにより前記水冷媒熱交換器１４で前記ヒートポンプサイクル（冷媒回路）Ｘの冷媒と熱交換して加熱された高温水を前記貯湯タンク２２に貯湯する第１温水循環路５１が形成される。また、風呂の浴槽４０内の浴槽水を追焚きするための前記追焚き用熱交換器２９と前記貯湯タンク２２との間で貯湯水を循環させる第２温水循環路５２が形成される。更に、浴槽水を追焚きするための前記追焚き用熱交換器２９と前記浴槽４０との間で浴槽水を循環させる第３温水循環路５３とが形成される。
【００１９】
４１は前記ヒートポンプ側制御装置１８と前記タンク側制御装置３６とを配線接続する通信線、４２は台所用リモートコントローラ、４３は風呂用リモートコントローラであり、これら各リモートコントローラ４２、４３は前記タンク側制御装置３６に配線接続されている。ＳＷはプリント基板Ｐ２に配設されてタンク側制御装置３６に接続された試運転スイッチであるが、この試運転スイッチＳＷは台所用リモートコントローラ４２や風呂用リモートコントローラ４３に設けるようにしても良い。また、ＰＳは浴槽４０の水位を検出する水位センサ、ＦＳは風呂水用配管３０の流水を検知する流水スイッチである。
【００２０】
そして、貯湯用配管２６の一端２６Ａ近くの往側貯湯用配管２６１には切り換え手段としての２つの第１電動三方弁４４１及び第２電動三方弁４４２が設けられている。第１電動三方弁４４１は往側貯湯用配管２６１と戻側貯湯用配管２６２を短絡するように配管接続されている。また、第２電動三方弁４４２は往側貯湯用配管２６１を排水管４５に選択的に連通するようにしている。そして、２つの第１電動三方弁４４１及び第２電動三方弁４４２の間の往側貯湯用配管２６１と排水管４５とは手動の開閉弁４６を介して配管接続する構成としている。
【００２１】
ここで、風呂の浴槽４０に注湯する湯張りを行う場合は、風呂用リモートコントローラ４３の風呂湯張りスイッチ（図示せず）を押すと、注湯開閉弁３５が開き、貯湯タンク２２上部から給湯用配管３３へ押し出された高温の湯が注湯混合弁３４Ｂへ流れ、ここで水道配管等の給水配管２３及び分岐給水配管２５から給水される水道水と混合されて、第３温水循環路５３を構成する風呂水用配管３０を介して予め設定された温度の湯が浴槽４０へ注湯され、所定の湯量が注湯されると湯張りが完了する。
【００２２】
次に、お湯の沸上げ運転について説明する。先ず、ヒートポンプユニット１１の運転開始により、ヒートポンプサイクルＸの圧縮機１３が起動すると、二酸化炭素の冷媒が圧縮機１３によって２段圧縮され、この圧縮機１３で圧縮されて吐出した超臨界圧の高温・高圧の液状の冷媒は放熱器１４Ａで放熱する。
【００２３】
そして、前記放熱器１４Ａで放熱して温度の低下した冷媒は、減圧装置１５で減圧されて低温・低圧となった後、蒸発器１６に流れ、この蒸発器１６で空気から吸熱して蒸発し、低温・低圧のガス状の冷媒となり、アキュームレータ１７に流れ、このアキュームレータ１７から前記圧縮機１３に吸入され再び圧縮される。
【００２４】
そして、上述のヒートポンプユニット１１の運転開始に伴い、貯湯タンクユニット１２内の貯湯用循環ポンプ２７が起動し、前記水冷媒熱交換器１４に前記貯湯タンク２２内下部の水を取り出して供給するように、第２三方弁４４２が実線矢印Ｂ２方向に流すようになっており、この第２三方弁４４２を介して前記貯湯タンク２２内下部の水を前記水冷媒熱交換器１４に供給するように第１三方弁４４１が実線矢印Ａ１方向に流すようになっており、前記貯湯用循環ポンプ２７の運転により、前記貯湯タンク２２内下部の低温或いは常温の水がその一端２６Ａから貯湯用配管２６内へ流れ、第２三方弁４４２、第１三方弁４４１及び貯湯用循環ポンプ２７を介して受熱器１４Ｂへ流れ、ここで前記水冷媒熱交換器１４の放熱器１４Ａ内に流れる高温・高圧の冷媒と熱交換して加熱される。
【００２５】
そして、この受熱器１４Ｂで加熱された高温の湯は前記他端２６Ｂから貯湯タンク２２の上部に流入し、沸き上げ運転の時間の経過に伴って、貯湯タンク２２内には８０℃以上の湯の貯留量が徐々に増加し、この高温の湯の湯層が貯湯タンク２２内の下部の一定位置に至ると、沸き上げ運転が完了する。
【００２６】
また、風呂水用循環ポンプ３１、追焚き用循環ポンプ３２が運転し、また前記貯湯タンク２２上部からの温水を追焚き用配管２８、追焚き用熱交換器２９を介して前記貯湯タンク２２の中間部に戻すようにして、貯湯タンク２２の高温水と浴槽４０の温水とを追焚き用熱交換器２９で熱交換して、浴槽４０の温水の追焚きを行うこともできる。
【００２７】
次に上述したヒートポンプ給湯装置１０の設置時の試運転について説明する。ヒートポンプ給湯装置１０の配管工事や電気工事等の設置工事が終わり、試運転を行う際には、先ず、図２のフローチャートに示すように、手動の開閉弁４６を閉にし（ステップＳ１）、浴槽４０に水がないことを確認して浴槽４０に栓をする（ステップＳ２）。そして、電源を入れ、試運転スイッチＳＷをＯＮにして（ステップＳ３）、施工業者がこの試運転時にタンクユニット１２外から給水配管２３に接続したバルブ（図示せず）を開にして、貯湯タンク２２内の水張りとエアー抜きを行いつつ、配管等の水漏れの有無を確認する（ステップＳ４）。
【００２８】
従って、給水配管２３に接続した前記バルブ（図示せず）を開にするだけで、給水配管２３から水道水等が給水されて貯湯タンク２２が満水になることを確認する必要もなく、また圧力逃し弁３７を手動で開閉することもなく、水道圧だけで自動的に貯湯タンク２２内のエアー（空気）とともに水が流出し、貯湯タンク２２内の水張りとエアー抜きを行うことができる。
【００２９】
上述した貯湯タンク２２や給湯用配管３３の水張りとエアー抜きに併行して、第１温水循環路５１及び第２温水循環路５２の水張りと貯湯用循環ポンプ２７、風呂水用循環ポンプ３１及び追焚き用循環ポンプ３２への呼び水、並びにエアー抜きが自動的に行われるようにしてある。
【００３０】
すなわち、タンク側制御装置３６は試運転スイッチＳＷがＯＮになると（ステップＳ５）、貯湯試運転の制御モードに入り、第１三方弁４４１を実線矢印Ａ１方向に流れるように、また第２三方弁４４２を破線矢印Ｂ１方向に流れるように切り替える（ステップＳ６）。また、注湯混合弁３４Ｂの水側を全閉とし（ステップＳ７）、注湯開閉弁３５を開にする（ステップＳ８）。このため、給湯用配管３３の水が注湯混合弁３４Ｂ、注湯開閉弁３５を介して風呂水用配管３０に流入し、風呂水用循環ポンプ３１への呼び水が行われる。また、貯湯タンク２２の水が貯湯用配管２６の他端２６Ｂから戻側貯湯用配管２６２、水冷媒熱交換器１４の受熱器１４Ｂを経て往側貯湯用配管２６１に流れ、貯湯用配管２６の水張りと貯湯用循環ポンプ２７への呼び水が行われ、エアーを含んだ水が第１、第２三方弁４４１、４４２を介して排水管４５から排出される。
【００３１】
この時点までの説明のように、図３において、貯湯タンク２２の内部とハッチングで示す配管内の水張り及びエアー抜きと、貯湯用循環ポンプ２７及び風呂水用循環ポンプ３１への呼び水が行われる。
【００３２】
上述した貯湯試運転の制御モードにおいて、注湯開閉弁３５を介して水が流れたことを注湯流量カウンター３８Ｂで確認すると（ステップＳ９）、エアーを含んだ水が流れ切る５秒後に注湯混合弁３４Ｂの水側が全開となり（ステップＳ１０）、さらにエアーを含んだ水が流れ切る５秒後に注湯開閉弁３５が閉になる（ステップＳ１１）。従って、分岐給水配管２５に残されたエアーも風呂水用配管３０及び浴槽４０を介して排出され、この間に図４のハッチングで示す部分の水張り及び呼び水とエアー抜きが行われ、第１温水循環路５１についても水張りとエアー抜きが継続して行われる。
【００３３】
そして、さらに２０秒後に第２三方弁４４２が実線矢印Ｂ２方向に流れるように切り替えられ（ステップＳ１２）、追焚き用循環ポンプ３２が３０秒間運転し（ステップＳ１３）、この３０秒間の間に貯湯タンク２２の水が追焚き用配管２８の出口部２８Ａから追焚き用配管２８に入り、追焚き用熱交換器２９及び追焚き用循環ポンプ３２を通って追焚き用配管２８の入口部２８Ｂへと流れるため、追焚き用配管２８の水張りと追焚き用循環ポンプ３２への呼び水も行われ、図５に示すように第２温水循環路５２のエアー抜きが行われる。
【００３４】
次いで、貯湯用循環ポンプ２７が３０秒間運転し（ステップＳ１４）、前記貯湯タンク２２内下部の水を取り出して第２三方弁４４２、第１三方弁４４１を介して前記水冷媒熱交換器１４に供給した後、前記貯湯タンク２２上部に戻して、図６に示すように、第１温水循環路５１のエアー抜きが行われる。そして、第１温水循環路５１及び第２温水循環路５２のエアーは貯湯タンク２２から給湯用配管３３を経て外部に排出される。その後、第２三方弁４４２を破線矢印Ｂ１方向に切り替え（ステップＳ１５）、エアーを含んだ水が流れ切る５秒後に実線矢印Ｂ２方向に切り替え（ステップＳ１６）ることにより、この５秒間の間に第１温水循環路５１に僅かに残ったエアーが排水管４５から排出され、第１温水循環路５１のエアー抜きが十分に行われる。
【００３５】
このようにして、貯湯タンク２２と貯湯タンク２２に接続された配管の水張りとエアー抜き、並び貯湯用循環ポンプ２７の呼び水が自動的に行われると、ヒートポンプユニット１１の圧縮機１３等が運転するとともに貯湯用循環ポンプ２７が運転し、貯湯タンク２２の沸上げ試運転が開始される（ステップＳ１７）。
【００３６】
そして、貯湯タンク２２の水が水冷媒熱交換器１４の受熱器１４Ｂに循環して加熱され、貯湯タンク２２に温水が貯湯されていることが温度センサ（図示せず）で検出され、貯湯運転を５分間行い、正常に沸き上げが行われていると判定すると（ステップＳ１８）、風呂試運転のモードに移行する。また、沸き上げ運転が正常に行われていない場合には、エラー判定（ステップＳ１９）により、台所用リモートコントローラ４２及び風呂用リモートコントローラ４３にエラー表示が行われ、貯湯試運転を中止するように制御される。この場合には、表示内容に応じて配管や電気配線がチェックされ、試運転をやり直すことになる。
【００３７】
風呂試運転モードでは、ステップＳ１８において正常に沸き上げが行われていることが確認されると、タンク側制御装置３６にてまず風呂試運転履歴の有無が確認され（ステップＳ２０）、浴槽４０の水位変化の記録がない場合には履歴なしと判断され、風呂水用循環ポンプ３１が運転開始する（ステップＳ２１）。次いで、風呂水用配管３０での流水の有無を流水スイッチＦＳで検出する（ステップＳ２２）。このとき、浴槽４０の水張りをしていないので、流水スイッチＦＳがＯＮとなるときはエラー判定（ステップＳ１９）によって、エラーと判定され、台所用リモートコントローラ４２及び風呂用リモートコントローラ４３にエラー表示される。
【００３８】
そして、流水スイッチＦＳがＯＦＦのときは注湯開閉弁３５を開にし、浴槽４０に一定量注湯する（ステップＳ２３）。そして、一定量注湯されたことを注湯流量カウンター３８Ｂが検出すると、注湯開閉弁３５を閉にし、風呂水用循環ポンプ３１の運転を開始し（ステップＳ２４）、流水スイッチＦＳがＯＮになるかを判断する（ステップＳ２５）。浴槽４０に水が溜まり、風呂水用配管３０に水が流れて流水スイッチＦＳがＯＮになるまでこの動作（ステップＳ２３〜Ｓ２５）が繰り返される。
【００３９】
そして、流水スイッチＦＳがＯＮになると、風呂水用循環ポンプ３１の運転が終了し（ステップＳ２６）、引き続いて浴槽４０の基準水位設定が行われる（ステップＳ２７）。すなわち、注湯開閉弁３５を開にし、浴槽４０にさらに一定量注湯した後に、注湯開閉弁３５を閉にし（ステップＳ２８）、圧力式の水位センサＰＳにて浴槽４０の水位を測定し（ステップＳ２９）、水位設定を行う。この水位設定は注湯流量カウンター３８Ｂにて検出される浴槽４０への注水量と水位センサＰＳにて検出される浴槽水位の相関関係から浴槽４０の基準水位を設定することにより、浴槽４０の大きさや形状にかかわらず、使用者が風呂用リモートコントローラ４３によって好みの水位を選定できるようにしている。
【００４０】
このようにして風呂試運転モードの試運転が終了すると、ヒートポンプ制御装置３６やリモートコントローラ４２又は４３に風呂試運転終了の表示がされるようにする。また、風呂試運転が終了した場合、若しくは風呂試運転の履歴があり（ステップＳ２０）、風呂試運転の必要がない場合にはエアー抜きを再度行うとともに、給水が完了したら浴槽４０の栓を抜いて（ステップＳ３０）、試運転を終了する。また、試運転終了後、しばらくの間、ヒートポンプ給湯装置１０を使用しない場合には貯湯タンク２２の水を抜き、電源を切っておく（ステップＳ３１）。
【００４１】
上述した実施態様において、貯湯試運転のステップＳ６で第１三方弁４４１を実線矢印Ａ１方向に且つ第２三方弁４４２を破線矢印Ｂ１方向に流れるようにする代わりに、第１三方弁４４１を破線矢印Ａ２方向に且つ第２三方弁４４２を実線矢印Ｂ２方向に流れるよう切り替えて、ステップＳ１１において注湯開閉弁２５を閉にすると共に第１三方弁４４１を実線矢印Ａ１方向に且つ第２三方弁４４２をＢ１方向に流れるように切り替えも良い。このようにすると、第２の実施形態に関する図７及び図８に示すように、水張り時のエアー抜きがそれぞれ１箇所に限定されるため、図３及び図４に示すもののようにエアー抜きが複数箇所から同時に行われる場合に比べてエラー時の異常個所の判定がしやすくなるとともに、エアー抜きのための給水量が少なくて済む利点がある。
【００４２】
なお、注湯混合弁３４Ｂとして水側の全閉（密閉）ができない構造の注湯混合弁３４Ｃを使用する場合には、第３の実施形態に関する図９に示すように、給湯用配管３３と風呂水用配管３０とを連絡する注湯用配管の注湯混合弁３４Ｃと注湯開閉弁３５との間に切り換え手段としての第３電動三方弁４４３を挿入し、この第３電動三方弁４４３の一方の口を給湯用配管３３に接続すると良い。この場合、ステップＳ６での第１及び第２三方弁４４１、４４２の切り換えは上述した実施態様と同じであり、ステップＳ７で注湯混合弁３４Ｂの水側を全閉にする代わりに、第３三方弁４４３を破線矢印Ｃ２方向に流れるようにし、ステップＳ１０で注湯混合弁３４Ｂの水側を全開にする代わりに、第３三方弁４４３を実線矢印Ｃ１方向に流れるように切り替えると共に注湯混合弁３４Ｃの水側を全開にすれば良く、ステップＳ１１以降の工程には上述した実施態様と同様であって変更がない。
【００４３】
上述した実施態様で説明したように、本発明のヒートポンプ給湯装置１０によれば、タンクユニット１２内のプリント基板Ｐ２に配設されたタンク側制御装置３６に接続した試運転スイッチＳＷや、運転操作用の台所用リモートコントローラ４２又は風呂用リモートコントローラ４３に設けられた試運転スイッチＳＷを操作することにより、貯湯タンク２２に接続された配管の水流路を通常状態から水張り状態に切り換えるようにして、貯湯タンク２２に接続された配管の水張りと貯湯用循環ポンプ２７、追焚き用循環ポンプ３２への呼び水、並びにエアー抜きを自動的に行うことができるため、設置作業における待機時間を少なくできるとともに、煩わしい切り換え操作を省略して設置作業を効率良く行うことができ、特に多数のヒートポンプ給湯装置１０を設置するマンション等の集合住宅では次々と設置作業を行うことができ、設置作業が大幅に短縮することができる。また、浴槽４０のお湯張りのための水位設定を試運転時の自動運転に含めるようにしたので、設置作業の一層の効率化を図ることができる。
【００４４】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４５】
１０    ヒートプンプ給湯装置
１１    ヒートポンプユニット
１２    貯湯タンクユニット
２２    貯湯タンク
２７    貯湯用循環ポンプ
３１    風呂水用循環ポンプ
３２    追焚き用循環ポンプ
３６    タンク側制御装置（制御手段）
４２    台所用リモートコントローラ
４３    風呂用リモートコントローラ
４４１  第１電動三方弁（切り換え手段）
４４２  第２電動三方弁（切り換え手段）
４４３  第３電動三方弁（切り換え手段）
ＳＷ    試運転スイッチ
【図１】
2011012817.tif 000003
【図２】
2011012817.tif 000004
【図３】
2011012817.tif 000005
【図４】
2011012817.tif 000006
【図５】
2011012817.tif 000007
【図６】
2011012817.tif 000008
【図７】
2011012817.tif 000009
【図８】
2011012817.tif 000010
【図９】
2011012817.tif 000011